(57)【要約】【課題】  工事灯に電子機器を固定して工事灯の設置等における作業性を改善できる工事灯アセンブリを提供する。【解決手段】  工事灯アセンブリは、一端部においてコーン体の頂部の取付孔に装着可能な差込部を含む柱状の差込基部及び差込基部の一端部の反対側に担持される発光部を有する工事灯と、差込部及び発光部の間において電子機器を差込基部に着脱自在に固定する取付具と、を有する。取付具は、電子機器を保持する保持部と、保持部から差込基部を囲み且つ差込基部を締め付ける締め付け手段と、を有する。【選択図】図１
2019082051.tif 000002
【特許請求の範囲】
【請求項１】
一端部においてコーン体の頂部の取付孔に装着可能な差込部を含む柱状の差込基部及び前記差込基部の前記一端部の反対側に担持される発光部を有する工事灯と、
前記差込部及び前記発光部の間において電子機器を前記差込基部に着脱自在に固定する取付具と、を有し、
前記取付具は、前記電子機器を保持する保持部と、前記保持部から前記差込基部を囲み且つ前記差込基部を締め付ける締め付け手段と、を有することを特徴とする工事灯アセンブリ。
【請求項２】
前記締め付け手段は、前記保持部に一体的に形成された環状体と、前記環状体に螺合する取付ネジと、前記環状体の内側の前記取付ネジの端部に設けられ前記差込基部に接する緩衝部と、を備えることを特徴とする請求項１に記載の工事灯アセンブリ。
【請求項３】
前記締め付け手段は、前記保持部に一体的に形成され且つ一部が開いたコ字状体と、前記コ字状体に螺合する取付ネジと、前記コ字状体の内側の前記取付ネジの端部に設けられ前記差込基部に接する緩衝部と、を備えることを特徴とする請求項１に記載の工事灯アセンブリ。
【請求項４】
前記締め付け手段は、前記保持部と共に前記差込基部に巻き付けられる結束バンド部を備えることを特徴とする請求項１に記載の工事灯アセンブリ。
【発明の詳細な説明】
【技術分野】
【０００１】
本発明は、カットコーン等に取付けられる工事灯と共に電子機器等の他の機器を同時に取付ける構造に関する。
【背景技術】
【０００２】
道路において、工事や事故処理等で車線規制等を行う場合、規制区間であることを一般走行車に明示するための規制区間の一定間隔毎に並べられる標識具が用いられる。標識具として、ラバーコーン、カットコーン等の路上に起立し得る切頭円錐形状を有するコーン体（以下、単に「コーン」とも呼ぶ）が知られている。標識具としてのコーンは、暗くなる夜間、走行車のドライバや歩行者から視認されづらくなる。コーンの視認性を向上させるため、コーン頂部に頂部取付孔を設け、そこにＬＥＤ（Light Emitting Diode）等を含む発光器具（以下、「工事灯」と呼ぶ）が装着される場合がある（特許文献１、図１０、参照）。また、コーンの状態の監視等を実現する目的で、コーン頂部に頂部取付孔に、例えば無線機器等工事灯以外の他の電子機器を保持させる場合もある。
【先行技術文献】
【特許文献】
【０００３】
【特許文献１】特開２０１７−０４００９７号公報
【発明の概要】
【発明が解決しようとする課題】
【０００４】
上記の従来技術では、以下の問題があった。
１．コーンへの固定には、頂部取付孔を介して行うため、一つのコーンには、工事灯または他の機器のいずれか一つしか固定はできない。
２．工事灯と他の機器を同時にコーンへ固定するには他の機器を頂部取付孔ではなく、コーン側面に固定する必要があり、コーンの設置作業や撤収作業時に、作業者がコーンを掴む場所が限定され、作業性がよくない。
３．弾力性がある素材からなるコーンの設置作業や撤収作業時にコーンの変形や撓むことがあり、コーン側面に固定された他の機器がズレたり、最悪の場合脱落してしまう場合がある。
【０００５】
本発明は、以上の従来技術の問題点に鑑みなされたものであり、工事灯に電子機器を固定して工事灯の設置等における作業性を改善できる取付ける構造である工事灯アセンブリを提供することを目的とする。
【課題を解決するための手段】
【０００６】
本発明の工事灯アセンブリは、一端部においてコーン体の頂部の取付孔に装着可能な差込部を含む柱状の差込基部及び前記差込基部の前記一端部の反対側に担持される発光部を有する工事灯と、
前記差込部及び前記発光部の間において電子機器を前記差込基部に着脱自在に固定する取付具と、を有し、
前記取付具は、前記電子機器を保持する保持部と、前記保持部から前記差込基部を囲み且つ前記差込基部を締め付ける締め付け手段と、を有することを特徴とする。
【発明の効果】
【０００７】
本発明の装着器具によれば、工事灯と共に電子機器を直接取付けることにより一つのコーンへ同時に固定ができるという効果が得られる。
【図面の簡単な説明】
【０００８】
【図１】本発明による実施例１である工事灯アセンブリとこれが装着されるコーンを示す概略分解斜視図である。
【図２】実施例１の工事灯を示す概略斜視図である。
【図３】実施例１の工事灯アセンブリをコーンに装着した状態を示す斜視図である。
【図４】実施例１の工事灯アセンブリの取付具とこれが装着される電子機器を示す概略分解斜視図である。
【図５】実施例１の工事灯アセンブリの電子機器取付具を示す平面図である。
【図６】実施例１の工事灯アセンブリの組み立てを示す斜視図である。
【図７】本発明による実施例２の工事灯アセンブリの電子機器取付具を示す平面図である。
【図８】本発明による実施例３の工事灯アセンブリの電子機器取付具を示す平面図である。
【発明を実施するための形態】
【０００９】
以下、図面を参照しつつ本発明による実施例の工事灯アセンブリについて説明する。なお、実施例において、実質的に同一の機能及び構成を有する構成要素については、同一の符号を付することにより重複説明を省略する。
【実施例１】
【００１０】
図１は実施例１である工事灯アセンブリＡｓｓとこれが装着されるコーン１０を示す。コーン１０の頂部には上下方向に延びる工事灯用の取付孔１１が穿孔されている。取付孔１１は基本的には円形とされているが、多角形でもよい。工事灯アセンブリＡｓｓは、工事灯２０と取付具３０（電子機器４０用）とを有する。工事灯２０と取付具３０は、差込部２１ａ及び発光部２２の間において電子機器４０を差込基部２１に着脱自在に固定する。
【００１１】
図２は実施例１における工事灯２０を示す。工事灯２０は、下端部においてコーン１０の頂部の取付孔１１に装着可能な差込部２１ａを含む柱状の差込基部２１を有する。また、工事灯２０は差込基部２１の上端部に担持される発光部２２を有する。工事灯２０（工事灯アセンブリＡｓｓ）は、その差込部２１ａを取付孔１１に挿通し、差込基部２１の下面で取付孔１１の開口部に載置されることにより、工事灯２０がコーン１０に取り付けられる（図３、参照）。
【００１２】
図４は本実施例の工事灯アセンブリの取付具３０と電子機器４０を示す。図５は本実施例の工事灯アセンブリの取付具３０を示す。電子機器４０には、無線機等が挙げられる。
【００１３】
図４に示すように、取付具３０は電子機器４０を保持する保持部３１を有する。また、取付具３０は保持部３１から差込基部２１を囲み且つ差込基部２１を締め付ける締め付け手段３２（アジャスタボルト３２ａとアジャスタ３２ｂ）と、を有する。保持部３１と電子機器４０とは、例えば一対の凹部開口及び爪等の凸部の組を保持部３１と電子機器４０の相互に接合する平面にそれぞれ設けそれらを係合する公知結合方法等で、一体化される。
【００１４】
締め付け手段３２は、取付具３０として保持部３１に一体的に形成された環状体３３と、環状体３３に螺合する取付ネジ（アジャスタボルト３２ａ）と、環状体３３の内側の取付ネジ（アジャスタボルト３２ａ）の端部に設けられ差込基部２１に接する緩衝部（アジャスタ３２ｂ）と、を備える。
【００１５】
図４、図５に示すように、取付具３０は、長方形の保持外平面を有する保持部３１の両端から屈曲部３１ａ、３１ｂがそれぞれ屈曲して、対向部３１ｃにて一体に延設され環状体３３となっている。対向部３１ｃは保持部３１の保持外平面に略平行であり、屈曲部３１ａ、３１ｂの内壁は平面視で「く」の字型に屈曲して、差込基部２１に内壁の２点で差込基部２１に接触するように形成されている。
【００１６】
アジャスタボルト３２ａは取付具３０を差込基部２１に取り付けるための取付ネジであり、一端に手で回転できるようにノブ部３２ａａを有し、他端は工事灯２０の差込基部２１の外周面の一部分を押さえることができるアジャスタ３２ｂに結合している。アジャスタボルト３２ａは取付具３０の対向部３１ｃに設けたメネジＭＳに螺合される。
【００１７】
差込基部２１をホールドするアジャスタ３２ｂは、合成ゴム、合成樹脂又は金属で形成されており、工事灯２０を保持する帯状のベルト部３２ｂｂと、このベルト部３２ｂｂの両端を屈曲させ、取付具３０の内壁面のガイド部３０ｇに案内される摺動部３２ｂｃとを備える。アジャスタ３２ｂの内壁には、差込基部２１とのズレを防ぐために、その伸長方向に延びる複数のリブＲｂが設けられている。
【００１８】
図５（ｂ）に示す取付具３０の最大内径ｍｄは、図２に示す工事灯２０の差込基部２１の外径Ｄよりも大きい。本実施例は、アジャスタボルト３２ａを締めるまたは緩めるとアジャスタ３２ｂが取付具３０内で可動し、図５（ａ）（ｂ）に示すように、取付具３０の最小内径ｄから最大内径ｍｄまで可変する仕組みを有する。
【００１９】
なお、工事灯２０の筐体は各種の合成樹脂からなり、その本体の内部（差込部２１ａ、差込基部２１、発光部２２）には、図示しないが、光源の点滅等を制御する回路等が組み込まれたプリント基板、乾電池あるいはソーラーバッテリによって発生した電力を蓄えるための二次電池等が収容される。一例として円筒状の差込部２１ａ内に乾電池等の電池が収容される。また、発光部２２の発光面には光源としての例えばＬＥＤが配置されるが、これらの構成も図示せず省略してある。なお、本体の外部構成である発光動作モードを切り換えるスイッチや電源スイッチ等も図示、説明を省略する。
【００２０】
工事灯２０と電子機器４０を同時にコーン１０に固定する場合の工事灯アセンブリの組み立てフローを説明する。まず、電子機器４０に一体的に具備された取付具３０を用意する。工事灯２０の差込基部２１に、差込部２１ａ側から、電子機器４０と一体化された取付具３０を嵌める（図６(ａ））。ここで、工事灯２０の差込基部２１の外径Ｄ（図２）に合うように取付具３０のアジャスタ３２ｂを差込基部２１にアジャスタボルト３２ａにより締めつける（図６（ｂ））。これにより工事灯２０と電子機器４０の固定が完了する（工事灯アセンブリＡｓｓ）。そして、この状態で工事灯アセンブリＡｓｓの差込部２１ａをコーン１０に具備された取付孔１１に差し込むことでコーン１０への工事灯２０と電子機器４０の固定が同時に実現する（図３）。この際、電子機器４０は工事灯２０の発光部２２を遮ることもない。
【００２１】
実施例の工事灯アセンブリは、工事灯２０の差込基部２１とコーン１０の取付孔１１が嵌合し固定される構造・形状を対象としており、図示する工事灯２０の外観は一例を示しているが、これに限定されず、変形も可能である。本実施例の説明では取付具３０はアジャスタ３２ｂとアジャスタボルト３２ａにより差込基部２１と固定を例示しているが、無段階に締め付けが可能なベルト方式やマグネット等他の構造によっても固定が可能である。
【実施例２】
【００２２】
本実施例は、取付具３０（締め付け手段）を環状とはせず「コ」字型にした以外、実施例１と同一である。よって、取付具３０のみを説明する。図７に示すように、取付具３０は、長方形の保持外平面を有する保持部３１の両端の屈曲部３１ａ、３１ｂの一方３１ａが屈曲して、さらに屈曲した対向部３１ｃにて一体に延設されコ字状体３４となっている。屈曲部３１ｂと対向部３１ｃの間に差込基部２１を受け入れる開口を形成している。よって、締め付け手段３２（取付具３０）は、保持部３１に一体的に形成され且つ一部が開いたコ字状体３４と、コ字状体３４に螺合する取付ネジ（アジャスタボルト３２ａ）と、コ字状体３４の内側の取付ネジ（アジャスタボルト３２ａ）の端部に設けられ差込基部２１に接する緩衝部（アジャスタ３２ｂ）と、を備える。
【実施例３】
【００２３】
本実施例は、取付具３０（締め付け手段）を環状とはせず結束バンド部を利用した以外、実施例１と同一である。よって、取付具３０のみを説明する。図８に示すように、締め付け手段３２（取付具３０）は、保持部３１と共に差込基部２１に巻き付けられる結束バンド部３５を備える。結束バンド部３５は、その一端が保持部３１の両端の屈曲部３１ａ、３１ｂの一方３１ｂに固定され、その他端が他方の屈曲部３１ａのストラップ孔を通して戻し折り返し部分をバインダＢＤにて固定される。
【００２４】
以上のように、以上の実施例によれば、コーンに取付けられる工事灯２０と同時に電子機器４０を取付ける構造において以下の効果を得られる。
１．工事灯２０に電子機器４０を直接取付けることで、一つのコーンへ同時に両者を固定することが可能となる。
２．工事灯２０と同時に固定したい電子機器４０に具備された取付具３０の内径は、特定の工事灯２０の外形専用に合わせた固定寸法、もしくは差込基部２１の外形寸法が異なる複数種類の工事灯２０への取付が可能となる。
３．電子機器４０はコーン側面ではなく、工事灯２０に直接固定するためコーンの設置や撤収作業時に、作業者がラバ−コーンを掴む場所が限定されず、作業性に影響を与えることがなくなる。
４．コーンが設置や撤収作業時に変形や撓むことがあっても、電子機器４０がズレたり、脱落しない。
５．工事灯２０の差込基部２１に電子機器４０を固定することにより、工事灯２０の発光部２２を遮ることがなく、特に夜間に通行車両や歩行者への視認性を低下させることがない。
【符号の説明】
【００２５】
１０…コーン、１１…取付孔、２１…差込基部、２１ａ…差込部、２２…発光部、２０…工事灯、３１…保持部、３１ａ、３１ｂ…屈曲部、３１ｃ…対向部、４０…電子機器、３０…取付具、３２ａ…アジャスタボルト、３２ｂ…アジャスタ、３３…環状体。
【図１】
2019082051.tif 000003
【図２】
2019082051.tif 000004
【図３】
2019082051.tif 000005
【図４】
2019082051.tif 000006
【図５】
2019082051.tif 000007
【図６】
2019082051.tif 000008
【図７】
2019082051.tif 000009
【図８】
2019082051.tif 000010